(57)【要約】【課題】モニタ発光の回数を最適化することができる発光制御装置を提供する。【解決手段】発光制御装置は、レンズ鏡筒２０から撮影条件が入力される入力部１１と、入力部１１で入力された撮影条件に基づいて、発光部３２から照射されるモニタ発光のモニタ発光量を決定するモニタ発光量決定部１１と、前記モニタ発光量決定部で決定されたモニタ発光量により、発光部３２におけるモニタ発光の照射を制御するモニタ発光制御部１１と、を備える。【選択図】図１
2015127720.tif 000002
【特許請求の範囲】
【請求項１】
撮影条件が入力される入力部と、
前記撮影条件に基づいて、発光部から照射されるモニタ発光のモニタ発光量を決定するモニタ発光量決定部と、
前記モニタ発光量決定部で決定されたモニタ発光量により、前記発光部におけるモニタ発光の照射を制御するモニタ発光制御部と、
を備える発光制御装置。
【請求項２】
請求項１に記載の発光制御装置において、
前記モニタ発光量決定部は、前記撮影条件として、撮影光学系の絞り値、撮影光学系の透過率、被写体までの撮影距離情報の少なくとも１つを用いてモニタ発光量を決定すること、
を特徴とする発光制御装置。
【請求項３】
請求項１又は２に記載の発光制御装置において、
前記モニタ発光量決定部は、前記モニタ発光量を決定する前に、前記発光部から照射されるモニタ発光の発光量情報を取得すること、
を特徴とする発光制御装置。
【請求項４】
請求項１から３のいずれか一項に記載の発光制御装置において、
前記モニタ発光量決定部は、前記発光部から複数回照射されるモニタ発光のうち、１回目のモニタ発光量を決定すること、
を特徴とする発光制御装置。
【請求項５】
請求項４に記載の発光制御装置において、
前記モニタ発光量決定部は、１回目のモニタ発光により得られた反射光量に基づいて、２回目のモニタ発光量を決定すること、
を特徴とする発光制御装置。
【請求項６】
請求項１から５のいずれか一項に記載の発光制御装置において、
被写体光の光量を検出する測光センサと、
被写体光による被写体像を撮像する撮像素子と、
を備えることを特徴とする発光制御装置。
【請求項７】
請求項６に記載の発光制御装置において、
１回目のモニタ発光により、前記測光センサの飽和条件値が所定の閾値以上になるか否かを判定する飽和条件判定部を備え、
前記モニタ発光量決定部は、モニタ発光量として、少なくとも大モニタ発光量と、これよりも発光量の小さい小モニタ発光量とを決定可能であり、前記飽和条件判定部で前記測光センサの飽和条件値が所定の閾値以上になると判定された場合には、１回目のモニタ発光量として前記小モニタ発光量を決定すること、
を特徴とする発光制御装置。
【請求項８】
発光部がモニタ発光するように制御するモニタ発光制御部と、
第１撮影におけるモニタ発光のモニタ発光量を記憶する記憶部と、を含み、
前記モニタ発光制御部は、前記第１撮影よりも後の第２撮影において、前記記憶部に記憶された前記第１撮影におけるモニタ発光のモニタ発光量に対応する発光量でモニタ発光を行うこと、
を特徴とする発光制御装置。
【請求項９】
第１撮影と、当該第１撮影よりも後の第２撮影との間隔が所定時間よりも小さいか否かを判断する判断部と、
発光部を第１発光量でモニタ発光させる制御と、前記発光部を前記第１発光量とは異なる第２発光量でモニタ発光させる制御とが可能なモニタ発光制御部と、を含み、
前記モニタ発光制御部は、前記判断部により、前記第１撮影と前記第２撮影との間隔が前記所定時間よりも小さいと判断された場合、前記第１撮影において前記第１発光量でモニタ発光させる制御を行ったときは、前記第２撮影において前記第１発光量でモニタ発光させる制御を行い、前記第１撮影において前記第２発光量でモニタ発光させる制御を行ったときは、前記第２撮影において前記第２発光量でモニタ発光させる制御を行うこと、
を特徴とする発光制御装置。
【請求項１０】
請求項９に記載の発光制御装置において、
前記モニタ発光制御部は、前記第１撮影及び前記第２撮影において複数回のモニタ発光をさせる制御が可能であり、
前記判断部により、前記第１撮影及び前記第２撮影との間隔が前記所定時間よりも小さいと判断された場合、前記第１撮影における本発光の時刻に最も近い時刻に照射されたモニタ発光のモニタ発光量が前記第１発光量であったとき、前記第２撮影における本発光の時刻から最も離れた時刻に照射されるモニタ発光のモニタ発光量を前記第１発光量とし、前記第１撮影における本発光の時刻に最も近い時刻に照射されたモニタ発光のモニタ発光量が前記第２発光量であったとき、前記第２撮影における本発光の時刻から最も離れた時刻に照射されるモニタ発光のモニタ発光量を前記第２発光量とすること、
を特徴とする発光制御装置。
【請求項１１】
請求項９又は請求項１０に記載の発光制御装置において、
撮影条件に基づいてモニタ発光のモニタ発光量を決定するモニタ発光量決定部を有し、
前記モニタ発光制御部は、前記判断部により、前記第１撮影及び前記第２撮影との間隔が前記所定時間よりも小さいと判断されない場合、前記第２撮影において前記モニタ発光量決定部が決定したモニタ発光量でモニタ発光させること、
を特徴とする発光制御装置。
【請求項１２】
請求項１から１１のいずれか一項に記載の発光制御装置を備えた撮像装置。
【発明の詳細な説明】
【技術分野】
【０００１】
本発明は、発光制御装置、及びこれを備えた撮像装置に関する。
【背景技術】
【０００２】
従来、モニタ発光としての予備発光を複数回行うことにより、本発光時の発光量を計算する閃光制御装置が知られている（例えば、特許文献１参照）。
【先行技術文献】
【特許文献】
【０００３】
【特許文献１】特開２０００−３３８５６９号公報
【発明の概要】
【発明が解決しようとする課題】
【０００４】
上記閃光制御装置では、モニタ発光の回数が増えるため、バッテリーの消耗が早くなり、撮影時のレリーズタイムラグも長くなることが考えられる。
【０００５】
本発明の目的は、モニタ発光の回数を最適化することができる発光制御装置及び撮像装置を提供することにある。
【課題を解決するための手段】
【０００６】
本発明は、以下のような解決手段により前記課題を解決する。
請求項１に記載の発明は、撮影条件が入力される入力部と、前記撮影条件に基づいて、発光部から照射されるモニタ発光のモニタ発光量を決定するモニタ発光量決定部と、前記モニタ発光量決定部で決定されたモニタ発光量により、前記発光部におけるモニタ発光の照射を制御するモニタ発光制御部と、を備える発光制御装置である。
請求項２に記載の発明は、請求項１に記載の発光制御装置において、前記モニタ発光量決定部は、前記撮影条件として、撮影光学系の絞り値、撮影光学系の透過率、被写体までの撮影距離情報の少なくとも１つを用いてモニタ発光量を決定すること、を特徴とする発光制御装置である。
請求項３に記載の発明は、請求項１又は２に記載の発光制御装置において、前記モニタ発光量決定部は、前記モニタ発光量を決定する前に、前記発光部から照射されるモニタ発光の発光量情報を取得すること、を特徴とする発光制御装置である。
請求項４に記載の発明は、請求項１から３のいずれか一項に記載の発光制御装置において、前記モニタ発光量決定部は、前記発光部から複数回照射されるモニタ発光のうち、１回目のモニタ発光量を決定すること、を特徴とする発光制御装置である。
請求項５に記載の発明は、請求項４に記載の発光制御装置において、前記モニタ発光量決定部は、１回目のモニタ発光により得られた反射光量に基づいて、２回目のモニタ発光量を決定すること、を特徴とする発光制御装置である。
請求項６に記載の発明は、請求項１から５のいずれか一項に記載の発光制御装置において、被写体光の光量を検出する測光センサと、被写体光による被写体像を撮像する撮像素子と、を備えることを特徴とする発光制御装置である。
請求項７に記載の発明は、請求項６に記載の発光制御装置において、１回目のモニタ発光により、前記測光センサの飽和条件値が所定の閾値以上になるか否かを判定する飽和条件判定部を備え、前記モニタ発光量決定部は、モニタ発光量として、少なくとも大モニタ発光量と、これよりも発光量の小さい小モニタ発光量とを決定可能であり、前記飽和条件判定部で前記測光センサの飽和条件値が所定の閾値以上になると判定された場合には、１回目のモニタ発光量として前記小モニタ発光量を決定すること、を特徴とする発光制御装置である。
請求項８に記載の発明は、発光部がモニタ発光するように制御するモニタ発光制御部と、第１撮影におけるモニタ発光のモニタ発光量を記憶する記憶部と、を備え、前記モニタ発光制御部は、前記第１撮影よりも後の第２撮影において、前記記憶部に記憶された前記第１撮影におけるモニタ発光のモニタ発光量に対応する発光量でモニタ発光を行うこと、を特徴とする発光制御装置である。
請求項９に記載の発明は、第１撮影と、当該第１撮影よりも後の第２撮影との間隔が所定時間よりも小さいか否かを判断する判断部と、発光部を第１発光量でモニタ発光させる制御と、前記発光部を前記第１発光量とは異なる第２発光量でモニタ発光させる制御とが可能なモニタ発光制御部と、を備え、前記モニタ発光制御部は、前記判断部により、前記第１撮影と前記第２撮影との間隔が前記所定時間よりも小さいと判断された場合、前記第１撮影において前記第１発光量でモニタ発光させる制御を行ったときは、前記第２撮影において前記第１発光量でモニタ発光させる制御を行い、前記第１撮影において前記第２発光量でモニタ発光させる制御を行ったときは、前記第２撮影において前記第２発光量でモニタ発光させる制御を行うこと、を特徴とする発光制御装置である。
請求項１０に記載の発明は、請求項９に記載の発光制御装置において、前記モニタ発光制御部は、前記第１撮影及び前記第２撮影において複数回のモニタ発光をさせる制御が可能であり、前記判断部により、前記第１撮影及び前記第２撮影との間隔が前記所定時間よりも小さいと判断された場合、前記第１撮影における本発光の時刻に最も近い時刻に照射されたモニタ発光のモニタ発光量が前記第１発光量であったとき、前記第２撮影における本発光の時刻から最も離れた時刻に照射されるモニタ発光のモニタ発光量を前記第１発光量とし、前記第１撮影における本発光の時刻に最も近い時刻に照射されたモニタ発光のモニタ発光量が前記第２発光量であったとき、前記第２撮影における本発光の時刻から最も離れた時刻に照射されるモニタ発光のモニタ発光量を前記第２発光量とすること、を特徴とする発光制御装置である。
請求項１１に記載の発明は、請求項９又は請求項１０に記載の発光制御装置において、撮影条件に基づいてモニタ発光のモニタ発光量を決定するモニタ発光量決定部を備え、前記モニタ発光制御部は、前記判断部により、前記第１撮影及び前記第２撮影との間隔が前記所定時間よりも小さいと判断されない場合、前記第２撮影において前記モニタ発光量決定部が決定したモニタ発光量でモニタ発光させること、を特徴とする発光制御装置である。
請求項１２に記載の発明は、請求項１から１１のいずれか一項に記載の発光制御装置を備えた撮像装置である。
【発明の効果】
【０００７】
本発明によれば、モニタ発光の回数を最適化することができる発光制御装置及び撮像装置を提供することができる。
【図面の簡単な説明】
【０００８】
【図１】実施形態におけるカメラ１の機能ブロック図である。
【図２】モニタ発光におけるモニタ発光量の大きさ示す概念図である。
【図３】第１実施形態のカメラマイコン１１においてモニタ発光及び本発光を行う場合の処理手順を示すフローチャートである。
【図４】第２実施形態のカメラマイコン１１において定常光成分に基づいてモニタ発光量を決定する場合の処理手順を示すフローチャートである。
【図５】第３実施形態のカメラマイコン１１においてモニタ発光及び本発光を行う場合の処理手順を示すフローチャートである。
【発明を実施するための形態】
【０００９】
以下、図面を参照して、本発明に係る発光制御装置及び撮像装置を、カメラに適用した場合の実施形態について説明する。
（第１実施形態）
図１は、第１実施形態におけるカメラ１の機能ブロック図である。図２は、モニタ発光におけるモニタ発光量の大きさ示す概念図である。
【００１０】
図１に示すように、第１実施形態におけるカメラ１は、カメラ本体１０と、レンズ鏡筒２０と、発光装置３０と、を備えるデジタル一眼レフカメラである。カメラ１は、カメラ本体１０に対してレンズ鏡筒２０及び発光装置３０が着脱自在となる。
【００１１】
レンズ鏡筒２０は、撮影光学系としてのレンズ光学系２１と、絞り２２と、レンズマイコン２３と、を備える。レンズ光学系２１は、フォーカスレンズやズームレンズを含む。レンズ光学系２１は、レンズ駆動部１７（後述）により駆動される。絞り２２は、カメラ本体１０の撮像部１２に入射する被写体光の光量を調節する。絞り２２の開度は、絞り制御部１６により制御される。
【００１２】
レンズマイコン２３は、レンズ光学系２１と連動する距離エンコーダ（不図示）からの信号を処理して、被写体までの撮影距離情報（以下、「撮影距離」ともいう）を取得する。レンズマイコン２３は、撮影距離をカメラマイコン１１（後述）に送信する。また、レンズマイコン２３は、絞り２２に設定された絞り値をカメラマイコン１１に送信する。
【００１３】
カメラ本体１０は、カメラマイコン１１と、撮像素子としての撮像部１２と、測光部１３と、シャッタ部１４と、焦点検出部１５と、絞り制御部１６と、レンズ駆動部１７と、レリーズスイッチ１８と、を備える。
【００１４】
カメラマイコン１１は、カメラ本体１０、レンズ鏡筒２０及び発光装置３０の動作を統括的に制御する。
カメラマイコン１１は、撮影条件が入力される入力部としての機能を備える。本実施形態において、撮影条件とは、絞り２２の絞り値、被写体までの撮影距離（撮影距離情報）等である。カメラマイコン１１には、レンズマイコン２３を介して撮影条件が入力される。
【００１５】
カメラマイコン１１は、被写体像を撮影（以下、「本撮影」ともいう）する際に、測光部１３（後述）で検出された被写体像の光量等に基づいて、適正露出値を算出し、絞り値及びシャッタースピードを決定する。また、カメラマイコン１１は、モニタ発光により決定された本発光（後述）時の本発光量に基づいて、本発光時の適正露出値を算出し、絞り値及びシャッタースピードを決定する。
【００１６】
また、カメラマイコン１１は、本撮影する際に、設定モードにより自動的に判断して、又は撮影者の設定によって、発光装置３０の発光部３２から被写体に照明光を照射（以下、「本発光」ともいう）させる。また、カメラマイコン１１は、被写体に本発光を照射する前に、本発光の発光量を演算するための予備的な発光（以下、「モニタ発光」ともいう）を少なくとも１回行う。そして、カメラマイコン１１は、１回目のモニタ発光における被写体からの反射光を測光部１３で受光させ、その反射光量に基づいて、２回目のモニタ発光を行う場合のモニタ発光量、又は本発光の本発光量を決定する。２回目のモニタ発光は、１回目のモニタ発光で適切な反射光量が得られない場合に実施される。
【００１７】
カメラマイコン１１は、レンズマイコン２３から取得した撮影条件に基づいて、発光部３２におけるモニタ発光量を決定するモニタ発光量決定部としての機能を備える。
モニタ発光量決定部としてのカメラマイコン１１は、発光部３２におけるモニタ発光量を決定する前に、発光装置３０の発光用マイコン３１から、発光部３２のモニタ発光時における発光量情報（後述）を取得する。
【００１８】
モニタ発光量決定部としてのカメラマイコン１１は、モニタ発光前に取得した撮影条件に基づいて、１回目のモニタ発光による反射光の測光部出力を予測する。そして、カメラマイコン１１は、モニタ発光による反射光の測定部出力予測値（以下、「反射光量予測値」ともいう）と、予め設定されたモニタ発光量の閾値とを比較し、反射光量予測値がモニタ発光量の閾値以上となる場合には、１回目のモニタ発光におけるモニタ発光量を小モニタ発光（後述）に決定する。また、カメラマイコン１１は、１回目のモニタ発光における反射光量予測値がモニタ発光量の閾値未満となる場合には、モニタ発光量を大モニタ発光（後述）に決定する。
【００１９】
また、カメラマイコン１１は、１回目のモニタ発光を行った後、そのモニタ発光により得られた反射光量に基づいて、２回目のモニタ発光を行う場合のモニタ発光量、又は本発光の本発光量を決定する。
【００２０】
また、カメラマイコン１１は、モニタ発光制御部の機能として、決定したモニタ発光量により、発光部３２でのモニタ発光の照射を制御する。即ち、カメラマイコン１１は、１回目のモニタ発光として、小モニタ発光又は大モニタ発光で発光するように発光装置３０の発光用マイコン３１に指示する。
【００２１】
ここで、カメラマイコン１１により制御されるモニタ発光のモニタ発光量を、図２を参照しながら説明する。
本実施形態におけるモニタ発光は、図２（ａ）、（ｂ）のいずれかの発光パターンとなる。図２（ａ）は、１回目のモニタ発光で発光量の小さい発光（以下、「小モニタ発光」ともいう）を行い、２回目のモニタ発光を行う場合には、発光量の大きな発光（以下、「大モニタ発光」ともいう）を行うパターンである。また、図２（ｂ）は、１回目のモニタ発光で大モニタ発光を行い、２回目のモニタ発光を行う場合には、小モニタ発光を行うパターンである。即ち、カメラマイコン１１は、１回目のモニタ発光を行った後、そのモニタ発光により得られた反射光量に基づいて、２回目のモニタ発光を行う場合のモニタ発光量（小モニタ発光又は大モニタ発光）を決定する。２回目のモニタ発光は、１回目のモニタ発光で適切な反射光量が得られない場合に実施される。
【００２２】
例えば、被写体までの撮影距離が近い場合に、１回目に大モニタ発光を行うと、測光部１３で検出される反射光量が飽和してしまうため、適切な本発光量を算出することが難しくなる。また、被写体までの撮影距離が遠い場合に、１回目に小モニタ発光を行うと、測光部１３で検出される反射光量が少なすぎるため、この場合も適切な本発光量を算出することが難しくなる。
【００２３】
いずれの場合も、１回目のモニタ発光で適切な反射光量が得られなければ、更に２回目のモニタ発光が行われるため、バッテリーの消耗やレリーズタイムラグが長くなる。本実施形態では、撮影条件に基づいて、適切な反射光量が得られるように１回目のモニタ発光量を決定するため、２回目のモニタ発光を行う可能性を低くすることができる。
【００２４】
本実施形態において、小モニタ発光の発光量、及び大モニタ発光の発光量は、発光装置３０の発光用マイコン３１から取得した、発光部３２のモニタ発光時における発光量情報により設定される。カメラマイコン１１は、カメラ本体１０に発光装置３０が装着された際に、発光装置３０から、小モニタ発光での発光量、及び大モニタ発光での発光量を発光量情報として取得する。カメラマイコン１１は、この発光量情報に基づいて、小モニタ発光での発光量、及び大モニタ発光での発光量を設定する。
【００２５】
本実施形態のカメラマイコン１１は、発光量情報として、発光部３２がモニタ発光を照射する際のガイドナンバを発光装置３０から取得する。ガイドナンバとは、発光部３２から照射される照射光の光量を示す値である。例えば、カメラマイコン１１は、小モニタ発光ではガイドナンバ１２、大モニタ発光ではガイドナンバ３４という発光量情報を発光装置３０から取得する。
【００２６】
撮像部１２は、レンズ光学系２１を経て入射した被写体光を、受光面において被写体像として撮像し、撮像した被写体像の光量に応じた画像信号を出力する。なお、以下の説明において、撮像部１２において被写体像を撮像することを、単に「撮影」ともいう。
測光部１３は、撮像部１２により撮像される被写体像の光量、及びモニタ発光や本発光時における被写体からの反射光量を検出する。測光部１３には、クイックリターンミラーやダハペンタプリズム等の光学系（不図示）を経て被写体像が導かれる。
【００２７】
シャッタ部１４は、撮像部１２に入射する被写体光の光量を調節する。シャッタ部１４は、シャッタ羽根（不図示）をシャッタスピード（露光時間）に応じて開閉することにより、撮像部１２に被写体光を露光させる。
【００２８】
焦点検出部１５は、レンズ光学系２１の焦点調節状態を検出するための焦点検出光学系及び測距素子（いずれも不図示）を備える。焦点検出部１５は、測距素子から出力される測距情報に基づいて、撮影画像の合焦状態を検出する。
絞り制御部１６は、カメラマイコン１１より決定された絞り値となるように、レンズ鏡筒２０の絞り２２を制御する。
【００２９】
レンズ駆動部１７は、焦点検出部１５により検出された合焦状態に対応して、又は、撮影者により操作されたズームの状態に応じたカメラマイコン１１からの指示に基づいて、レンズ鏡筒２０のレンズ光学系２１を駆動する。
レリーズスイッチ１８は、操作者のレリーズボタンの半押し及び全押し操作に対応した信号をカメラマイコンに出力する。
【００３０】
発光装置３０は、発光用マイコン３１と発光部３２とを備える。
発光用マイコン３１は、カメラマイコン１１からの指示により、発光部３２に対して発光指示を出力する。発光部３２は、発光用マイコン３１からの指示により、被写体に対してモニタ発光又は本発光を行う。
【００３１】
次に、第１実施形態のカメラマイコン１１において、モニタ発光及び本発光を行う場合の処理手順について説明する。図３は、第１実施形態のカメラマイコン１１において、モニタ発光及び本発光を行う場合の処理手順を示すフローチャートである。なお、以下の説明において、撮影指示は、モニタ発光及び本発光を伴う被写体像の撮影を意味する。
【００３２】
ステップＳ１において、カメラマイコン１１は、レリーズスイッチ１８を介して撮影者による撮影指示が入力されたか否かを判定する。ステップＳ１の判定がＹＥＳであれば、処理はステップＳ２へ移行する。また、ステップＳ１の判定がＮＯであれば、処理はステップＳ１へ戻る。
ステップＳ２において、カメラマイコン１１は、撮影条件として、絞り値と撮影距離を取得する。
【００３３】
ステップＳ３において、カメラマイコン１１は、１回目のモニタ発光におけるモニタ発光量を決定する。カメラマイコン１１は、Ｓ２で取得した撮影条件に基づいて、１回目のモニタ発光における反射光量予測値を算出し、予め設定されたモニタ発光量の閾値と比較することにより、１回目のモニタ発光量を小モニタ発光とするか、大モニタ発光とするかを決定する。
【００３４】
ステップＳ４において、カメラマイコン１１は、１回目のモニタ発光（小モニタ発光又は大モニタ発光）を、発光装置３０の発光用マイコン３１へ指示する。
ステップＳ５において、カメラマイコン１１は、測光部１３で反射光を受光させ、１回目のモニタ発光による被写体からの反射光量を算出する（測光演算）。
【００３５】
ステップＳ６において、カメラマイコン１１は、１回目のモニタ発光による反射光量が本発光の本発光量を決定するのに適切（過少又は過大でない）か否か、即ち２回目のモニタ発光が必要か否かを判定する。ステップＳ６の判定がＹＥＳであれば、処理はステップＳ７へ移行する。また、ステップＳ６の判定がＮＯであれば、処理はステップＳ９へ移行する。
【００３６】
ステップＳ７において、カメラマイコン１１は、２回目のモニタ発光（小モニタ発光又は大モニタ発光）を、発光装置３０の発光用マイコン３１へ指示する。本実施形態のカメラ１では、１回目のモニタ発光により、殆どの場合において、本発光の本発光量を決定するのに適切な反射光量を得ることができる。しかし、例えば、ステップＳ２で取得した撮影距離が正しくなかった場合には、１回目のモニタ発光で適切な反射光量が得られないことが起こりうる。その場合には、２回目のモニタ発光が行われる。なお、図２に示すように、１回目のモニタ発光が小モニタ発光であれば、２回目のモニタ発光として大モニタ発光が設定される。また、１回目のモニタ発光が大モニタ発光であれば、２回目のモニタ発光として小モニタ発光が設定される。
【００３７】
ステップＳ８において、カメラマイコン１１は、測光部１３で反射光を受光させ、２回目のモニタ発光による被写体からの反射光量を算出する（測光演算）。
ステップＳ９において、カメラマイコン１１は、２回目のモニタ発光で得られた反射光量に基づいて、本発光の本発光量を決定する。
【００３８】
ステップＳ１０において、カメラマイコン１１は、決定した本発光量を発光装置３０の発光用マイコン３１へ送信し、本発光を指示する。
ステップＳ１１において、カメラマイコン１１は、次の撮影指示があるか否かを判定する。ステップＳ１１の判定がＹＥＳであれば、処理はステップＳ２へ戻る。また、ステップＳ１１の判定がＮＯであれば、処理を終了する。
【００３９】
上述した第１実施形態のカメラ１では、モニタ発光前に取得した撮影条件に基づいて、１回目のモニタ発光におけるモニタ発光量を決定するため、１回目のモニタ発光において、適切な反射光量が得られる可能性がより高くなる。これによれば、カメラ１においては、２回目のモニタ発光を行う可能性が低くなるため、モニタ発光の回数を最適化することができる。従って、カメラ１では、照明光を用いた撮影時において、バッテリーの消耗やレリーズタイムラグが長くなることが抑制される。
【００４０】
（第２実施形態）
次に、第１実施形態のカメラ１において、１回目のモニタ発光量を決定する処理（図３のステップＳ３）の他の実施形態について説明する。
図４は、第２実施形態のカメラマイコン１１において、定常光成分に基づいてモニタ発光量を決定する場合の処理手順を示すフローチャートである。図４に示すフローチャートの処理は、例えば、図３に示すステップＳ３（又は後述する図５に示すステップＳ１４）のサブルーチンとして実行される。
【００４１】
図４に示すステップＳ１０１において、カメラマイコン１１は、１回目のモニタ発光におけるモニタ発光量を仮決定する。カメラマイコン１１は、図３に示すステップＳ３と同じ処理を実行して、１回目のモニタ発光におけるモニタ発光量を仮決定する。
ステップＳ１０２において、カメラマイコン１１は、大モニタ発光を仮決定したか否かを判定する。ステップＳ１０２の判定がＹＥＳであれば、処理はステップＳ１０３へ移行する。また、ステップＳ１０２の判定がＮＯであれば、処理はステップＳ１０６へ移行する。
【００４２】
ステップＳ１０３において、カメラマイコン１１は、飽和判定のためのパラメータを取得する。本実施形態において、カメラマイコン１１は、飽和判定のためのパラメータとして、ＶｏｙＢａｃｋＭａｘ、Ｉｎｔｐｘ、ＩｎｔｐｘＢａｃｋ、ＶＬ、ＶＬＢａｃｋを取得する。
【００４３】
ＶｏｙＢａｃｋＭａｘは、測光部１３において、定常光成分のみを測光したデータの最大値である。測光部１３は、複数の画素において、それぞれ被写体像の光量を測光する。カメラマイコン１１は、測光部１３の各画素で測光されたデータの最大値を、ＶｏｙＢａｃｋＭａｘとして取得する。
【００４４】
Ｉｎｔｐｘは、モニタ発光時において、測光部１３が被写体光を蓄積する時間（蓄積時間）である。Ｉｎｔｐｘは、ステップＳ１０１で仮設定されたモニタ発光量に応じて設定される。
ＩｎｔｐｘＢａｃｋは、定常光測光時に、測光部１３が被写体光を蓄積する時間（蓄積時間）である。
ＶＬは、モニタ発光時において、測光部１３に設定されるセンサゲイン（増幅率）である。ＶＬは、ステップＳ１０１で仮設定されたモニタ発光量に応じて設定される。
ＶＬＢａｃｋは、定常光測光時において、測光部１３に設定されるセンサゲインである。
【００４５】
ステップＳ１０４において、カメラマイコン１１は、ステップＳ１０３で取得したパラメータに基づいて、飽和条件値ＲｍＥｘｐＭａｘを算出する。カメラマイコン１１は、飽和条件値ＲｍＥｘｐＭａｘを、下記の式（１）により算出する。
ＲｍＥｘｐＭａｘ＝
ＶｏｙＢａｃｋＭａｘ×（Ｉｎｔｐｘ／ＩｎｔｐｘＢａｃｋ）×（ＶＬ／ＶＬＢａｃｋ）                                                                ・・・（１）
【００４６】
ステップＳ１０５において、カメラマイコン１１は、飽和条件値ＲｍＥｘｐＭａｘが、閾値ＲｍＥｘｐＴｈ以上となるか否かを判定する（飽和判定）。ステップＳ１０５の判定がＹＥＳであれば、処理はステップＳ１０６へ移行する。また、ステップＳ１０５の判定がＮＯであれば、処理はステップＳ１０７へ移行する。
ステップＳ１０６において、カメラマイコン１１は、１回目のモニタ発光におけるモニタ発光量として、小モニタ発光量を決定して、処理を終了する（図３のステップＳ３にリターンする）。
【００４７】
ステップＳ１０７において、カメラマイコン１１は、１回目のモニタ発光におけるモニタ発光量として、大モニタ発光量を決定して、処理を終了する（図３のステップＳ３にリターンする）。
【００４８】
上述した第２実施形態によれば、飽和条件値ＲｍＥｘｐＭａｘが閾値ＲｍＥｘｐＴｈ以上の場合には、撮影条件に基づいて仮決定したモニタ発光量が大モニタ発光量であっても、１回目のモニタ発光量として小モニタ発光量が決定される。そのため、モニタ発光時に測光部１３の出力が定常光成分のみで飽和するような場合において、より適切なモニタ発光量を決定することができる。
【００４９】
（第３実施形態）
次に、第１実施形態のカメラ１において、モニタ発光及び本発光を行う場合の他の実施形態について説明する。
第３実施形態のカメラマイコン１１は、第１実施形態と同じ制御を行うモニタ発光量決定部としての機能を備える。
【００５０】
また、第３実施形態のカメラマイコン１１は、記憶部としてのメモリ（不図示）を備える。カメラマイコン１１のメモリには、モニタ発光量決定部としての機能により決定したモニタ発光量が記憶される。このモニタ発光量は、撮影時における最後のモニタ発光のモニタ発光量である。即ち、メモリには、撮影時にモニタ発光量決定部としての機能により決定した、今回の１回目のモニタ発光のモニタ発光量、又は２回目のモニタ発光のモニタ発光量が記憶される。２回目のモニタ発光は、１回目のモニタ発光で適切な反射光量が得られない場合に実施される。
【００５１】
具体的には、カメラマイコン１１は、モニタ発光量決定部としての機能により決定したモニタ発光量が小モニタ発光量の場合には、モニタ発光量ＭｏｎＨＬ「０」のフラグをメモリに記憶する。また、カメラマイコン１１は、モニタ発光量決定部としての機能により決定したモニタ発光量が大モニタ発光量の場合には、モニタ発光量ＭｏｎＨＬ「１」のフラグをメモリに記憶する。即ち、本実施形態では、モニタ発光量として、小モニタ発光量又は大モニタ発光量を示すフラグがメモリに記憶される。
【００５２】
また、第３実施形態のカメラマイコン１１は、今回の撮影において、メモリに記憶された前回の撮影におけるモニタ発光のモニタ発光量に対応する発光量によりモニタ発光を行うモニタ発光制御部としての機能を備える。
なお、本実施形態において、「前回の撮影」は第１撮影に対応し、「今回の撮影」は第１撮影よりも後の第２撮影に対応する。また、「大モニタ発光量」は第１発光量に対応し、「小モニタ発光量」は第２発光量に対応する。
【００５３】
また、第３実施形態のカメラマイコン１１は、前回の撮影と今回の撮影との間隔が１ｓ（秒）未満か否かを判断する判断部としての機能を備える。そして、モニタ発光制御部としてのカメラマイコン１１は、判断部としての機能において、前回の撮影から今回の撮影までの間隔が１ｓ未満と判断された場合、前回の撮影において大モニタ発光量でモニタ発光させる制御を行ったときは、今回の撮影において大モニタ発光量でモニタ発光させる制御を行う。また、モニタ発光制御部としてのカメラマイコン１１は、判断部としての機能において、前回の撮影から今回の撮影までの間隔が１ｓ未満と判断された場合、前回の撮影において小モニタ発光量でモニタ発光させる制御を行ったときは、今回の撮影において小モニタ発光量でモニタ発光させる制御を行う。
【００５４】
また、第３実施形態のカメラマイコン１１は、前回の撮影及び今回の撮影において、発光部３２における複数回のモニタ発光の照射を制御する。そして、第３実施形態のカメラマイコン１１は、判断部としての機能において、前回の撮影から今回の撮影までの間隔が１ｓ未満と判断された場合、前回の撮影における本発光の時刻に最も近い時刻に照射されたモニタ発光のモニタ発光量が大モニタ発光量であったときは、今回の撮影における本発光の時刻から最も離れた時刻に照射されるモニタ発光のモニタ発光量を大モニタ発光量とする。また、モニタ発光制御部としてのカメラマイコン１１は、判断部としての機能において、前回の撮影から今回の撮影までの間隔が１ｓ未満と判断された場合、前回の撮影における本発光の時刻に最も近い時刻に照射されたモニタ発光のモニタ発光量が小モニタ発光量であったときは、今回の撮影における本発光の時刻から最も離れた時刻に照射されるモニタ発光のモニタ発光量を小モニタ発光量とする。
【００５５】
なお、本実施形態において、「前回の撮影における本発光の時刻に最も近い時刻に照射されたモニタ発光」とは、前回の撮影において本発光前に照射された１回目のモニタ発光、又は２回目のモニタ発光をいう。また、「今回の撮影における本発光の時刻から最も離れた時刻に照射されるモニタ発光」とは、今回の撮影において本発光前に照射される１回目のモニタ発光をいう。
【００５６】
また、モニタ発光制御部としてのカメラマイコン１１は、判断部としての機能において、前回の撮影と今回の撮影との間隔が１ｓ以上と判断された場合（前回の撮影と今回の撮影との間隔が１ｓ未満と判断されない場合）、今回の撮影において、第１実施形態と同じモニタ発光量決定部としての機能により決定したモニタ発光量でモニタ発光させる。
【００５７】
次に、第３実施形態のカメラマイコン１１において、モニタ発光及び本発光を行う場合の処理手順について説明する。図５は、第３実施形態のカメラマイコン１１において、モニタ発光及び本発光を行う場合の処理手順を示すフローチャートである。なお、以下の説明において、撮影指示は、モニタ発光及び本発光を伴う被写体像の撮影を意味する。
【００５８】
図５に示すステップＳ１１において、カメラマイコン１１は、レリーズスイッチ１８を介して撮影者による撮影指示が入力されたか否かを判定する。ステップＳ１１の判定がＹＥＳであれば、処理はステップＳ１２へ移行する。また、ステップＳ１１の判定がＮＯであれば、処理はステップＳ１１へ戻る。
【００５９】
ステップＳ１２において、カメラマイコン１１は、前回の撮影から１ｓ未満か否かを判定する。このステップＳ１２の判定がＮＯであれば、処理はステップＳ１３へ移行する。また、ステップＳ１２の判定がＹＥＳであれば、処理はステップＳ２３へ移行する。
【００６０】
図５に示すステップＳ１３〜ステップＳ２０までの処理は、図３に示すステップＳ２〜Ｓ９までの処理と同じであるため、説明を省略する。
ステップＳ２１において、カメラマイコン１１は、ステップＳ１４又はステップＳ１８で決定したモニタ発光量をメモリに記憶する。
ステップＳ２２において、カメラマイコン１１は、次の撮影指示があるか否かを判定する。ステップＳ２２の判定がＹＥＳであれば、処理はステップＳ１２へ戻る。また、ステップＳ２２の判定がＮＯであれば、処理を終了する。
【００６１】
一方、ステップＳ２３（ステップＳ１２：ＹＥＳ）において、カメラマイコン１１は、メモリに記憶されているモニタ発光量のフラグに基づいて、１回目のモニタ発光量を決定する。即ち、カメラマイコン１１は、メモリにモニタ発光量ＭｏｎＨＬ「１」のフラグが記憶されている場合には、１回目のモニタ発光を大モニタ発光量に決定する。また、カメラマイコン１１は、メモリにモニタ発光量ＭｏｎＨＬ「０」のフラグが記憶されている場合には、１回目のモニタ発光を小モニタ発光量に決定する。ステップＳ２３の処理が終了すると、処理はステップＳ１５へ移行する。この場合、ステップＳ２３で決定したモニタ発光量で１回目のモニタ発光が行われる。
【００６２】
上述した第３実施形態によれば、前回の撮影から今回の撮影までの間隔が１ｓ未満の場合、メモリに記憶されているモニタ発光量のフラグに基づいて今回のモニタ発光量が決定される。そのため、撮影が１ｓ未満で連続する場合において、より速くモニタ発光量を決定することができる。また、前回の撮影から今回の撮影までの間隔が１ｓ以上の場合、撮影条件に基づいてモニタ発光量が決定される。そのため、撮像部１２による撮影が１ｓ以上開く場合において、より適切なモニタ発光量を決定することができる。
【００６３】
（変形形態）
以上説明した実施形態に限定されることなく、本発明は以下に示すような種々の変形や変更が可能であり、それらも本発明の範囲内である。
（１）本実施形態では、カメラマイコン１１が１回目のモニタ発光における反射光量予測値を算出する際の撮影条件として、絞り値及び撮影距離を用いる例について説明した。これに限らず、撮影条件として、基準レンズからの偏差量を含めてもよい。基準レンズからの偏差量は、以下のようにして求められる。
【００６４】
カメラ本体１０に基準レンズ（例えば、焦点距離５０ｍｍ、開放Ｆ１．４の標準レンズ）を装着し、基準となる明るさの被写体光を測光部１３で検出したときに得られる光量を基準光量とする。そして、カメラ本体１０に装着可能な各レンズについて、同じ条件で被写体光を測光部１３で検出したときに得られる光量を取得し、基準光量からの偏差量を求め、これを基準レンズからの偏差量（以下、「偏差量」ともいう）とする。この偏差量は、カメラマイコン１１のメモリ（不図示）に記憶される。カメラマイコン１１は、カメラ本体１０にレンズ鏡筒２０が装着されると、そのレンズ鏡筒２０に固有の偏差量をメモリから読み出し、撮影条件に含める。撮影条件として、基準レンズからの偏差量を含めることにより、１回目のモニタ発光における反射光量予測値を、より精度良く算出することができる。
【００６５】
（２）本実施形態では、発光部３２の照射角が固定である場合を例に説明した。これに限らず、発光部３２の照射角を、レンズ光学系２１の焦点距離に連動させてもよい。この場合、レンズ光学系２１の焦点距離が広角側に設定されると、発光部３２の照射角は広くなる。また、レンズ光学系２１の焦点距離が望遠側に設定されると、発光部３２の照射角は狭くなる。発光部３２の照射角が変化すると、被写体までの撮影距離が同じであっても、ガイドナンバは変化する。そのため、小モニタ発光及び大モニタ発光におけるガイドナンバは、発光部３２において設定可能な照射角に応じて設定される。発光用マイコン３１からは、設定可能な照射角（例えば、広角／望遠の２段階）毎のガイドナンバがカメラマイコン１１に送信される。例えば、広角側において、小モニタ発光のガイドナンバが「５」、大モニタ発光のガイドナンバが「５０」の場合に、望遠側では、小モニタ発光のガイドナンバが「１０」、大モニタ発光のガイドナンバが「１００」となる。発光部３２の照射角に応じて、モニタ発光におけるモニタ発光量を変化させることにより、１回目のモニタ発光における反射光量予測値を、より精度良く算出することができる。
【００６６】
（３）本実施形態では、モニタ発光の発光量として、小モニタ発光、大モニタ発光の２つについて説明した。これに限らず、モニタ発光の発光量として、小モニタ発光、中モニタ発光、大モニタ発光の３つを設定してもよい。この場合も、発光部３２の照射角に応じて、各モニタ発光のガイドナンバは変化する。例えば、広角側において、小モニタ発光のガイドナンバが「５」、中モニタ発光のガイドナンバが「５０」、大モニタ発光のガイドナンバが「５００」の場合に、望遠側では、小モニタ発光のガイドナンバが「１０」、中モニタ発光のガイドナンバが「１００」、大モニタ発光のガイドナンバが「１０００」となる。なお、上記説明において例示したガイドナンバは、ガイドナンバの比率を示すために設定した数値であり、実際のガイドナンバとは異なる。
【００６７】
（４）本実施形態では、カメラ１を、カメラ本体１０に対してレンズ鏡筒２０及び発光装置３０が着脱自在なデジタル一眼レフカメラとした場合について説明した。これに限らず、カメラ１は、カメラ本体１０、レンズ鏡筒２０及び発光装置３０が一体型であってもよいし、カメラ本体１０とレンズ鏡筒２０が一体型であり、発光装置３０がカメラ本体１０に対して着脱自在であってもよい。また、発光装置３０が、カメラ本体１０に内蔵された構成であってもよい。更に、カメラ１は、いわゆるコンパクトカメラであってもよいし、ミラーレスタイプのデジタルカメラであってもよい。
【００６８】
また、上記実施形態及び変形形態は適宜に組み合わせて用いることができるが、各実施形態の構成は、図示と説明により明らかであるため、詳細な説明を省略する。更に、本発明は、以上説明した実施形態によって限定されることはない。
【符号の説明】
【００６９】
１：カメラ、１０：カメラ本体、１１：カメラマイコン、１２：撮像部、１３：測光部、２０：レンズ鏡筒、２１：レンズ光学系、２２：絞り、２３：レンズマイコン、３０：発光装置、３１：発光用マイコン、３２：発光部
【図１】
2015127720.tif 000003
【図２】
2015127720.tif 000004
【図３】
2015127720.tif 000005
【図４】
2015127720.tif 000006
【図５】
2015127720.tif 000007